(57)【要約】【課題】  取り付けられた１の冷蔵庫の収容室と他の冷蔵庫の収容室との流体連結及び分離を容易に実施でき、かつ他の冷蔵庫の収容室と流体連結する位置を容易に変更可能な流路構造体、この流路構造体を備えた冷蔵庫及びこの冷蔵庫を備えた冷蔵庫ユニットを提供する。【解決手段】  取り付けられた１の冷蔵庫の収容室と流体連結可能な第１の接続口Ｕ０，Ｊ０及び他の冷蔵庫の収容室と流体連結可能な第２の接続口Ｕ１〜Ｕ３、Ｊ１〜Ｊ３を両側に有する流路１２、１４を備え、流路１２，１４の少なくとも一部を備えた部材６が回転することにより、第２の接続口Ｕ１〜Ｕ３、Ｊ１〜Ｊ３の位置を変更可能な流路構造体、この流路構造体を備えた冷蔵庫及びこの冷蔵庫を備えた冷蔵庫ユニットを提供する。【選択図】図１
2017067379.tif 000002
【特許請求の範囲】
【請求項１】
取り付けられた１の冷蔵庫の収容室と流体連結可能な第１の接続口及び他の冷蔵庫の収容室と流体連結可能な第２の接続口を両側に有する流路を備え、
前記流路の少なくとも一部を備えた部材が回転することにより、前記第２の接続口の位置を変更可能なことを特徴とする流路構造体。
【請求項２】
請求項１に記載の流路構造体が取り付けられ、
前記流路構造体の前記第１の接続口と流体連結可能な収容室を有することを特徴とする冷蔵庫。
【請求項３】
請求項２に記載の冷蔵庫と、
前記１の冷蔵庫に取り付けられた前記流路構造体の前記第２の接続口と流体連結可能な収容室を有する他の冷蔵庫と、を備えたことを特徴とする冷蔵庫ユニット。
【請求項４】
前記流路が、前記１の冷蔵庫から前記他の冷蔵庫へ気体が流れる出側の流路と、前記他の冷蔵庫から前記１の冷蔵庫へ気体が流れる入側の流路とから構成されることを特徴とする請求項３に記載の冷蔵庫ユニット。
【請求項５】
前記入側及び前記出側の流路のうちの一方の流路がＵ字形の流路であり、他方の流路が前記Ｕ字形の流路の内側に設けられたＩ字形の流路であることを特徴とする請求項４に記載の冷蔵庫ユニット。
【発明の詳細な説明】
【技術分野】
【０００１】
本発明は冷蔵庫に用いる流路構造体、この流路構造体を備えた冷蔵庫及びこの冷蔵庫を備えた冷蔵庫ユニットに関する。
【背景技術】
【０００２】
冷蔵庫では、使用状況によって、冷蔵室及び冷凍室の数や配置に関する要望は異なる。このような様々な要望に対応するため、複数の冷蔵庫が連結された組立式の冷蔵庫ユニットが提案されている（例えば、特許文献１参照）。
【先行技術文献】
【特許文献】
【０００３】
【特許文献１】特開２００９−１６２４７２号公報
【発明の概要】
【発明が解決しようとする課題】
【０００４】
特許文献１に記載の冷蔵庫ユニットでは、様々な要望に対応するため、冷蔵庫の数や取り付け位置を変更できる。しかし、この冷蔵庫ユニットでは、個々の冷蔵庫の間で気体を循環させるため、ホース状の通気管路を用いて冷蔵庫の間を繋いでいる。このため、冷蔵庫の配置を変えるたびに、通気管路を取り外して付け替える必要があり、配置によっては通気管路の取り回しが困難になる。つまり、冷蔵庫の連結及び分離のために煩雑な作業を要し、冷蔵庫の取り付け位置の変更が容易でない場合がある。
【０００５】
従って、上記の課題を解決するため、本発明の目的は、取り付けられた１の冷蔵庫の収容室と他の冷蔵庫の収容室との流体連結及び分離を容易に実施でき、かつ他の冷蔵庫の収容室と流体連結する位置を容易に変更可能な流路構造体を提供することにある。
本発明の更なる目的は、他の冷蔵庫との連結及び分離が容易であり、かつ他の冷蔵庫の取り付け位置を容易に変更可能な冷蔵庫及びこの冷蔵庫を備えた冷蔵庫ユニットを提供することにある。
【課題を解決するための手段】
【０００６】
本発明に係る流路構造体は、
取り付けられた１の冷蔵庫の収容室と流体連結可能な第１の接続口及び他の冷蔵庫の収容室と流体連結可能な第２の接続口を両側に有する流路を備え、
前記流路の少なくとも一部を備えた部材が回転することにより、前記第２の接続口の位置を変更可能なことを特徴とする。
【０００７】
ここで、「収容室と流体連結可能な接続口」とは、部材の回転位置、開閉弁の設置、遮蔽部材の着脱等によって、収容室と流体連結する状態と流体連結しない状態の両方があり得る接続口を意味する。他の冷蔵庫の数は、１の場合も複数の場合もあり得る。
【０００８】
本発明によれば、１の冷蔵庫に取り付けられた流路構造体の流路の端部に、他の冷蔵庫の収容室と流体連結可能な第２の接続口を有するので、他の冷蔵庫を着脱するだけで、１の冷蔵庫及び他の冷蔵庫の収容室の流体連結及び分離を容易に実施できる。更に、流路の少なくとも一部を備えた部材を回転させるだけで、他の冷蔵庫の収容室と流体連結する第２の接続口の位置を容易に変更することができる。
これにより、取り付けられた１の冷蔵庫の収容室と他の冷蔵庫の収容室との流体連結及び分離を容易に実施でき、かつ他の冷蔵庫の収容室と流体連結する位置を容易に変更できる。
【０００９】
本発明に係る冷蔵庫は、
上記の流路構造体が取り付けられ、
前記流路構造体の前記第１の接続口と流体連結可能な収容室を有することを特徴とする。
【００１０】
本発明によれば、他の冷蔵庫の収容室との連結及び分離を容易に実施でき、かつ他の冷蔵庫の取り付け位置を容易に変更可能な冷蔵庫を提供できる。
【００１１】
本発明に係る冷蔵庫ユニットは、
上記の１の冷蔵庫と、
前記１の冷蔵庫に取り付けられた前記流路構造体の前記第２の接続口と流体連結可能な収容室を有する他の冷蔵庫とを備えたことを特徴とする。
【００１２】
本発明によれば、１の冷蔵庫の収容室と他の冷蔵庫の収容室との連結及び分離を容易に実施でき、かつ１の冷蔵庫に対する他の冷蔵庫の取り付け位置を容易に変更可能な冷蔵庫ユニットを提供できる。
【００１３】
また本発明に係る冷蔵庫ユニットは、
前記流路が、前記１の冷蔵庫から前記他の冷蔵庫へ気体が流れる出側の流路と、前記他の冷蔵庫から前記１の冷蔵庫へ気体が流れる入側の流路とから構成されることを特徴とする。
【００１４】
本発明によれば、流路が出側の流路と入側の流路とから構成されるので、１の冷蔵庫と他の冷蔵庫との間で確実に気体を循環させることができる。
【００１５】
また本発明に係る冷蔵庫ユニットは、
前記入側及び前記出側の流路のうちの一方の流路がＵ字形の流路であり、他方の流路が前記Ｕ字形の流路の内側に設けられたＩ字形の流路であることを特徴とする。
【００１６】
本発明によれば、一方の流路がＵ字形の流路であり、他方の流路がＵ字形の流路の内側に設けられたＩ字形の流路なので、限られた領域の中で、互いに干渉することなく、確実に入側及び出側の流路を形成することができる。
【発明の効果】
【００１７】
以上のように、本発明においては、取り付けられた１の冷蔵庫の収容室と他の冷蔵庫の収容室との流体連結及び分離を容易に実施でき、かつ他の冷蔵庫の収容室と流体連結する位置を容易に変更可能な流路構造体を提供することができる。
更に、他の冷蔵庫との連結及び分離が容易であり、かつ他の冷蔵庫の取り付け位置を容易に変更可能な冷蔵庫及びこの冷蔵庫を備えた冷蔵庫ユニットを提供することができる。
【図面の簡単な説明】
【００１８】
【図１】本発明の１つの実施形態に係る流路構造体の概要を示す平面図である。
【図２】本発明の１つの実施形態に係る流路構造体が他の流路構造体と連結された場合の概要を示す（ａ）斜視図、及び（ｂ）分解斜視図である。
【図３】本発明の１つの実施形態に係る流路構造体が、他の流路構造体と連結された場合の気体の流れの概要を示す模式的な斜視図である。
【図４】本発明の１つの実施形態に係る流路構造体を備えた冷蔵庫と他の冷蔵庫とが連結されて形成された冷蔵庫ユニットの外形の一例を示す（ａ）前側からみた側面図及び（ｂ）横側から見た側面図である。
【図５】本発明の１つの実施形態に係る流路構造体を備えた冷蔵庫と他の冷蔵庫とが連結されて形成された冷蔵庫ユニットにおける気体の流れを示す図であり、（ａ）は扉を除いた状態の正面から見た側面図であり、（ｂ）は、（ａ）の断面Ａ−Ａから見た断面図である。
【図６】本発明の１つの実施形態に係る流路構造体を備えた冷蔵庫と他の冷蔵庫とが連結されて形成された冷蔵庫ユニットにおける気体の流れを示す図であり、（ａ）は外形を示す斜視図であり、（ｂ）は、（ａ）の断面Ｂ−Ｂから見た断面斜視図である。
【図７】本発明の１つの実施形態に係る流路構造体を備えた冷蔵庫と他の冷蔵庫とが連結されて形成された冷蔵庫ユニットにおける気体の流れを示す図であり、（ａ）は外形を示す分解斜視図であり、（ｂ）は、（ａ）の断面Ｃ−Ｃから見た断面分解斜視図である。
【図８】本発明の１つの実施形態に係る流路構造体が他の流路構造体と連結された場合の１つの配置例を示す平面図である。
【図９】本発明の１つの実施形態に係る流路構造体が他の流路構造体と連結された場合のその他の配置例を示す平面図である。
【図１０】Ｔ字流路を有する本発明のその他の実施形態に係る流路構造体の概要を示す（ａ）分解斜視図、（ｂ）第１のＴ字流路を示す平面図、及び（ｃ）第２のＴ字流路を示す平面図である。
【図１１】本発明のその他の実施形態に係る流路構造体が他の流路構造体と連結された場合の（ａ）１つの配置例を示す平面図、及び（ｂ）その他の配置例を示す平面図である。
【図１２】本発明の更なる実施形態に係る流路構造体が他の流路構造体と連結された場合の（ａ）１つの配置例を示す平面図、及び（ｂ）その他の配置例を示す平面図である。
【発明を実施するための形態】
【００１９】
次に、本発明の具体的な実施形態について、図面を参照しながら詳細に説明する。
（本発明の１つの実施形態に係る流路構造体の説明）
図１は、本発明の１つの実施形態に係る流路構造体４の概要を示す平面図である。図２は、本発明の１つの実施形態に係る流路構造体４が他の流路構造体４’と連結された場合の概要を示す（ａ）斜視図、及び（ｂ）分解斜視図である。図３は、本発明の１つの実施形態に係る流路構造体４が、他の流路構造体４’と連結された場合の気体の流れの概要を示す模式的な斜視図である。
【００２０】
はじめに、図１から図３を参照しながら、本発明の１つの実施形態に係る流路構造体４の概要を説明する。図１には、本実施形態に係る流路構造体４のみが示され、図２及び３には、この流路構造体４に他の流路構造体４’が取り付けられた状態を示す。図２及び３では、一例として、他の流路構造体４’も、本実施形態に係る流路構造体４と同様な構造を有する場合を示す。
図２（ｂ）の分解斜視図から明らかなように、本実施形態に係る流路構造体４は、本体４ａ及び回転部材６から構成される。回転部材６は、略円筒形の形状を有し、本体４ａ側に形成された穴部に回転自在に嵌合される。回転部材６及び本体４ａ側に設けられた流路により、Ｕ字形流路１２、及びＵ字形流路１２の内側に配置されたＩ字形流路１４を備える。流路構造体４は、１の冷蔵庫２の背面側に取り付けられる。この流路構造体４が備えられた１の冷蔵庫２に、流路構造体４’が備えられた他の冷蔵庫２’が取り付けられる。その状態を、図３に模式的に示す。
【００２１】
流路構造体４に備えられたＵ字形流路１２は、取り付けられた１の冷蔵庫２の収容室２４と流体連結可能なＵ字第１の接続口Ｕ０、及び他の冷蔵庫２’の収容室２４’と流体連結可能なＵ字第２の接続口Ｕ１〜Ｕ３を有する。流路構造体４に備えられＩ字形流路１４は、取り付けられた１の冷蔵庫２の収容室２４と流体連結可能なＩ字第１の接続口Ｊ０、及び他の冷蔵庫２’の収容室２４’と流体連結可能なＩ字第２の接続口Ｊ１〜Ｊ３を有する。そして、流路１２，１４の一部を備えた回転部材６が回転することにより、第２の接続口の位置を、Ｕ１，Ｊ１で示す図面上側の位置、Ｕ２，Ｊ２で示す図面右側の位置、及びＵ３，Ｊ３で示す図面左側の位置に変更可能である。
【００２２】
＜Ｕ字形流路１２の説明＞
次に、Ｕ字形流路１２について更に詳細に説明する。回転部材６には、Ｕ字第１の接続口Ｕ０を端部とするＵ字形流路１２の一部を構成する流路１２Ｕ０が設けられている。一方、本体４ａには、他の冷蔵庫２’の収容室２４’と流体連結可能なＵ字第２の接続口Ｕ１〜Ｕ３を端部とするＵ字形流路１２の残りの一部を構成する流路１２Ｕ１〜１２Ｕ３を備える。
【００２３】
図１から図３では、回転部材６に設けられた流路１２Ｕ０と、本体４ａに設けられた流路１２Ｕ１と繋がった状態が示されている。この状態では、流路１２Ｕ０及び流路１２Ｕ１で構成されるＵ字形流路１２は、１の冷蔵庫２の収容室２４と流体連結可能なＵ字第１の接続口Ｕ０及び他の冷蔵庫２’の収容室２４’と流体連結可能なＵ字第２の接続口Ｕ１を両側に有する。
【００２４】
本実施形態に係る流路構造体４は、回転部材６が回転することにより、Ｕ字形流路１２の方向を９０度ずつ異なる３つの方向に切り替えることができる。
図１から図３に示す状態から、回転部材６を時計回りに９０度回転させれば、回転部材６に設けられた流路１２Ｕ０と、本体４ａに設けられた流路１２Ｕ２と繋がった状態になる。この状態では、流路１２Ｕ０及び流路１２Ｕ２で構成されるＵ字形流路１２は、１の冷蔵庫２の収容室２４と流体連結可能なＵ字第１の接続口Ｕ０及び他の冷蔵庫２’の収容室２４’と流体連結可能なＵ字第２の接続口Ｕ２を両側に有する。
【００２５】
図１から図３に示す状態から、回転部材６を反時計回りに９０度回転させれば、回転部材６に設けられた流路１２Ｕ０と、本体４ａに設けられた流路１２Ｕ３と繋がった状態になる。この状態では、流路１２Ｕ０及び流路１２Ｕ３で構成されるＵ字形流路１２は、１の冷蔵庫２の収容室２４と流体連結可能なＵ字第１の接続口Ｕ０及び他の冷蔵庫２’の収容室２４’と流体連結可能なＵ字第２の接続口Ｕ３を両側に有する。
【００２６】
以上のように、本実施形態では、回転部材６を回転させることにより、他の冷蔵庫２’の収容室２４’と流体連結可能な接続口の位置を、３箇所のＵ字第２の接続口Ｕ１，Ｕ２及びＵ３の中の何れかの位置に変更できる。言い換えれば、回転部材６を回転させることにより、異なる位置にある３箇所のＵ字第２の接続口Ｕ１，Ｕ２及びＵ３の中から１箇所の接続口を選択することができる。このとき、選択されなかった他の第２の接続口は、Ｕ字第１の接続口Ｕ０と、つまり収容室２４と遮断されている。
【００２７】
＜Ｉ字形流路１４の説明＞
次に、Ｕ字形流路１２の内側に配置されたＩ字形流路１４について更に詳細に説明する。回転部材６には、流路構造体４が取り付けられた１の冷蔵庫２の収容室２４と流体連結可能なＩ字第１の接続口Ｊ０を端部とするＩ字形流路１４の一部を構成する流路１４Ｊ０が設けられている。一方、本体４ａには、他の冷蔵庫２’の収容室２４’と流体連結可能なＩ字第２の接続口Ｊ１〜Ｊ３を端部とするＩ字形流路１４の残りの一部を構成する流路１４Ｊ１〜１４Ｊ３を備える。
【００２８】
図１から図３では、回転部材６に設けられた流路１４Ｊ０と、本体４ａに設けられた流路１４Ｊ１と繋がった状態が示されている。この状態では、流路１４Ｊ０及び流路１４Ｊ１で構成されるＩ字形流路１４は、１の冷蔵庫２の収容室２４と流体連結可能なＩ字第１の接続口Ｊ０及び他の冷蔵庫２’の収容室２４’と流体連結可能なＩ字第２の接続口Ｊ１を両側に有する。
【００２９】
本実施形態に係る流路構造体４は、回転部材６が回転することにより、Ｉ字形流路１４の方向を９０度ずつ異なる３つの方向に切り替えることができる。
図１から図３に示す状態から、回転部材６を時計回りに９０度回転させれば、回転部材６に設けられた流路１４Ｊ０と、本体４ａに設けられた流路１４Ｊ２と繋がった状態になる。この状態では、流路１４Ｊ０及び流路１４Ｊ２で構成されるＩ字形流路１４は、１の冷蔵庫２の収容室２４と流体連結可能なＩ字第１の接続口Ｊ０及び他の冷蔵庫２’の収容室２４’と流体連結可能なＩ字第２の接続口Ｊ２を両側に有する。
【００３０】
図１から図３に示す状態から、回転部材６を反時計回りに９０度回転させれば、回転部材６に設けられた流路１４Ｊ０と、本体４ａに設けられた流路１４Ｊ３と繋がった状態になる。この状態では、流路１４Ｊ０及び流路１４Ｊ３で構成されるＩ字形流路１４は、１の冷蔵庫２の収容室２４と流体連結可能なＩ字第１の接続口Ｊ０及び他の冷蔵庫２’の収容室２４’と流体連結可能なＩ字第２の接続口Ｊ３を両側に有する。
【００３１】
以上のように、本実施形態では、回転部材６を回転させることにより、他の冷蔵庫２’の収容室２４’と流体連結可能な接続口の位置を、３箇所のＩ字第２の接続口Ｊ１，Ｊ２及びＪ３の中の何れかの位置に変更することができる。言い換えれば、回転部材６を回転させることにより、異なる位置にある３箇所のＩ字第２の接続口Ｊ１，Ｊ２及びＪ３の中から１箇所の接続口を選択することができる。このとき、選択されなかった他の第２の接続口は、Ｉ字第１の接続口Ｊ０と、つまり収容室２４と遮断されている。
【００３２】
＜１の冷蔵庫及び他の冷蔵庫の間の気体の流れの説明＞
次に、図３を参照しながら、１の冷蔵庫２及び他の冷蔵庫２’の間の気体の流れの概要を説明する。図３の矢印に流体の流れを模式的に示す。図３では、他の冷蔵庫２’にも、流路構造体４と同様な構造の流路構造体４’を備えている場合を示す。ただし、これに限られるものではなく、他の冷蔵庫２’において、収容室２４’と流体連結可能な流路及び接続口の位置が固定されている場合もあり得る。
【００３３】
流路構造体４が接続された１の冷蔵庫２の収容室２４と、流路構造体４’が接続された他の冷蔵庫２’の収容室２４’とが、流路構造体４及び流路構造体４’を介して連通している。
１の冷蔵庫２の収容室２４内を循環した気体は、Ｉ字第１の接続口Ｊ０から流路構造体４のＩ字形流路１４へ流入する。そして、気体は、図面の下側から上側へ流れ、Ｉ字形流路１４のもう一方の端部のＩ字第２の接続口Ｊ１を経て、流路構造体４’のＩ字形流路１４’へ流入する。気体は、Ｉ字形流路１４’から、他の冷蔵庫２’の収容室２４’へ流入する。
他の冷蔵庫２’の収容室２４’へ流入した気体は収容室２４’内を循環した後、他の流路構造体４’のＵ字形流路１２’へ流入する。そして、気体は図面の上側から下側へ流れ、Ｕ字形流路１２’から、Ｕ字第２の接続口Ｕ１を端部とする流路構造体４のＵ字形流路１２へ流入する。気体は、Ｕ字形流路１２の中を流れて、もう一方の端部のＵ字第１の接続口Ｕ０から、１の冷蔵庫２の収容室２４へ流入する。
【００３４】
以上のような気体の流れのサイクルを繰り返すことにより、１の冷蔵庫２の収容室２４と他の冷蔵庫２’の収容室２４’と間で気体を循環させることができる。
ここでいう気体は、基本的に空気であり、後述するように、冷却フィンの間を通過することによって温度が下がり、収容室２４内の食品等を冷蔵または冷凍保存することができる。気体を冷却する度合いに応じて、冷蔵庫２の収容室２４は、冷蔵室や、生鮮食料品の貯蔵室や、冷凍室として機能することができる。  
【００３５】
本実施形態に係る流路構造体４は、回転部材６を手動で回転させることもできるし、図２（ａ）に示すように、回転部材６を回転させるための駆動モータ４０を備えることもできる。この場合には、スイッチ操作またはセンサー等からの信号に基づく自動制御で回転部材６を回転させることができる。更に詳細な説明は後述する。  
【００３６】
本実施形態では、Ｕ字形流路１２が、他の冷蔵庫２’から１の冷蔵庫２へ気体が流れる入側の流路を形成し、Ｉ字形流路１４が、１の冷蔵庫２から他の冷蔵庫２’へ気体が流れる出側の流路を形成している。ただし、これに限られるものではなく、逆に、Ｕ字形流路１２が出側の流路を形成し、Ｉ字形流路１４が入側の流路を形成する場合もあり得る。
【００３７】
本実施形態に係る流路構造体４では、流路が出側の流路と入側の流路とから構成されるので、１の冷蔵庫２と他の冷蔵庫２’との間で確実に気体を循環させることができる。更に、本実施形態では、一方の流路がＵ字形の流路であり、他方の流路がＵ字形の流路の内側に設けられたＩ字形の流路なので、限られた領域の中で、互いに干渉することなく、確実に入側及び出側の流路を形成することができる。
【００３８】
（本発明の１つの実施形態に係る冷蔵庫ユニットの説明）
図４は、本発明の１つの実施形態に係る流路構造体４を備えた１の冷蔵庫２と他の冷蔵庫２’とが連結されて形成された冷蔵庫ユニット５０の外形の一例を示す（ａ）前側からみた側面図、及び（ｂ）横側から見た側面図である。図５は、本発明の１つの実施形態に係る流路構造体を備えた１の冷蔵庫２と他の冷蔵庫２’とが連結されて形成された冷蔵庫ユニット５０における気体の流れを示す図であり、（ａ）は、扉を除いた状態の正面から見た側面図であり、（ｂ）は、（ａ）の断面Ａ−Ａから見た断面図である。図６は、本発明の１つの実施形態に係る流路構造体４を備えた１の冷蔵庫２と他の冷蔵庫２’とが連結されて形成された冷蔵庫ユニット５０における気体の流れを示す図であり、（ａ）は、外形を示す斜視図であり、（ｂ）は、（ａ）の断面Ｂ−Ｂから見た断面斜視図である。図７は、本発明の１つの実施形態に係る流路構造体４を備えた１の冷蔵庫２と他の冷蔵庫２’とが連結されて形成された冷蔵庫ユニット５０における気体の流れを示す図であり、（ａ）は、外形を示す分解斜視図であり、（ｂ）は、（ａ）の断面Ｃ−Ｃから見た断面分解斜視図である。
次に、図４から図７を参照しながら、本発明の１つの実施形態に係る流路構造体４を備えた１の冷蔵庫２と他の冷蔵庫２’とが連結されて形成された冷蔵庫ユニット５０における気体の流れを説明する。
【００３９】
図４から図７には、１の冷蔵庫２と他の冷蔵庫２’とが上下に配置されて連結された場合が例示されている。ただし、この配置に限られるものではなく、左右に配置された場合をはじめとするその他の任意の配置が可能である。
図４に示すように、１の冷蔵庫２は、筐体２０及び筐体２０に開閉自在に取り付けられた扉２２を有する。筐体２０の内部に食料品等を収容可能な収容室２４を備える。同様に、他の冷蔵庫２’も、筐体２０’及び筐体２０’に開閉自在に取り付けられた扉２２’を有する。筐体２０’の内部に食料品等を収容可能な収容室２４’を備える。
１の冷蔵庫２の収容室２４及び他の冷蔵庫２’の収容室２４’は、共に冷蔵室として機能することも、生鮮食料品の貯蔵室として機能することも、冷凍室として機能することもできる。
【００４０】
１の冷蔵庫２の背面に流路構造体４が取り付けられ、他の冷蔵庫２’の背面に流路構造体４’が取り付けられている。１の冷蔵庫２の筐体２０の側面を構成する薄板からなる外殻は、流路構造体４を覆うように伸びている。よって、冷蔵庫２の側面から、流路構造体４を視認することはできない。ただし、１の冷蔵庫２の外殻には、流路構造体４の第２の接続口Ｕ１〜Ｕ３、Ｊ１〜Ｊ３に対応した開口が設けられている。外殻の厚みは非常に薄いので、この開口を介して、流路構造体４の第２の接続口Ｕ１〜３、Ｊ１〜３が、他の冷蔵庫２’の流路構造体４’の接続口として機能する。
【００４１】
図５〜図７の断面図に、気体の流れを矢印で示す。矢印で示す流れは、図３で示した模式的な流れを更に詳細に示したものである。図５から明らかなように、１の冷蔵庫２の収容室２４
は、仕切板３４により、前側の収容領域と、後ろ側の冷却領域に分けられている。仕切板３４の上側には、ファン３０が備えられている。仕切板３４の下側には、開口２６が設けられている。仕切板３４のファン３０と同じ高さの側方には、吸込口２８が設けられている。
他の冷蔵庫２’の収容室２４’にも、気体を循環させるためのファン３０’が備えられている。
【００４２】
１の冷蔵庫２の収容室２４の中の気体は、ファン３０により、収容領域の前側に送り出される。送り出された気体は、下側へ流れて収容領域内を循環し、下側の開口２６を通って、仕切り板３４の背面側の冷却領域に流入する。気体は、冷却領域を下から上へ流れて、再びファン３０の位置に戻る。このとき、冷却フィン３２の間を通過することにより冷却される。ファン３０で送り出された気体の一部は、吸込口２８から図示していないダクト内に流入し、１の冷蔵庫２に取り付けられた流路構造体４のＩ字形流路１４へ流入する。
【００４３】
Ｉ字形流路１４へ流入した気体は、図面の下側から上側へ流れ、他の流路構造体４’のＩ字形流路１４’へ流れ、そして他の冷蔵庫２’の収容室２４’へ流入する。収容室２４’へ流入した気体は、収容室２４’内に設けられたファン３０’により、収容室２４’内を循環する。そして、収容室２４’内を循環した気体は、他の流路構造体４’のＵ字形流路１２’へ流入して、図面の上側から下側へ流れ、他の流路構造体４のＵ字形流路１２’から１の流路構造体４のＵ字形流路１２へ流れる。そして、気体は、Ｕ字形流路１２から１の冷蔵庫２の収容室２４へ流入する。以上のように、１の冷蔵庫２の収容室２４から出た気体は、他の冷蔵庫２’の収容室２４’を循環して、再びの冷蔵庫２の収容室２４へ戻る。
【００４４】
収容室２４へ流入した気体は冷却フィン３２を通過して、再びファン３０により収容領域の前側に送り出される。冷却フィン３２を通過するとき、気体は冷却される。ファン３０で送り出された気体の一部は、収容室２４内を循環し、一部は吸込口２８から流路構造体４のＩ字形流路１４へ流入する。このような流れのサイクルを繰り返すことにより、１の冷蔵庫２の収容室２４の内部、他の冷蔵庫２’の収容室２４’の内部、及び収容室２４と収容室２４’との間で気体を循環させることができる。
【００４５】
例えば、図４（ｂ）に示すように、他の冷蔵庫が接続されていない側面に、第２の接続口Ｕ２，Ｊ２が示されているが、図１に示すように、１の冷蔵庫２の収容室２４と第２の接続口Ｕ２，Ｊ２とは遮断されているので気体が漏れることはない。ただし、外側から第２の接続口Ｕ２，Ｊ２を覆う遮蔽部材を備えることもできる。図４（ｂ）で反対側の側面に位置する第２の接続口Ｕ３，Ｊ３についても、同様である。
【００４６】
（流路構造体の配置例の説明）
図８は、本発明の１つの実施形態に係る流路構造体４が他の流路構造体４’と連結された場合の１つの配置例を示す平面図である。図９は、本発明の１つの実施形態に係る流路構造体４が他の流路構造体４’と連結された場合のその他の配置例を示す平面図である。
次に、図８及び図９を参照しながら、本発明の１つの実施形態に係る流路構造体４が他の流路構造体４’と連結された場合の配置例について説明する。
【００４７】
図８に示す配置例では、流路構造体４の図面で上側の第２の接続口Ｕ１及びＪ１で他の流路構造体４’と接続される場合を示す。つまり、回転部材６側の流路１２Ｕ０及び本体４ａ側の流路１２Ｕ１が繋がってＵ字形流路１２を形成し、回転部材６側の流路１４Ｊ０及び本体４ａ側の流路１４Ｊ１が繋がってＩ字形流路１４を形成している。このとき、他の第２の接続口Ｕ２，３及びＪ２，３は、第１の接続口Ｕ０、Ｊ０と、つまり収容室２４と遮断されている。
図８に示す配置例は、流路構造体４’が取り付けられた他の冷蔵庫２’が、流路構造体４が取り付けられた１冷蔵庫２の上に配置されて接続された場合、つまり図３〜図７に示す冷蔵庫の配置に対応する。
【００４８】
図９に示す組み合わせ例では、図８に示す状態から、流路構造体４の回転部材６を時計回りに９０度回転させて、流路構造体４の図面で右側の接続口Ｕ２及びＪ２で他の流路構造体４’と接続される場合を示す。つまり、回転部材６側の流路１２Ｕ０及び本体４ａ側の流路１２Ｕ２が繋がってＵ字形流路１２を形成し、回転部材６側の流路１４Ｊ０及び本体４ａ側の流路１４Ｊ２が繋がってＩ字形流路１４を形成している。このとき、他の第２の接続口Ｕ１，３及びＪ１，３は、第１の接続口Ｕ０、Ｊ０と、つまり収容室２４と遮断されている。
図８に示す配置例は、流路構造体４’が取り付けられた他の冷蔵庫２’が、流路構造体４が取り付けられた１冷蔵庫２の右横側に配置されて接続されている場合を示す。
【００４９】
これと同様に、図８に示す状態から、流路構造体４の回転部材６を反時計回りに９０度回転させて、流路構造体４の図面で左側の接続口Ｕ３及びＪ３で他の流路構造体４’と接続される場合もあり得る。つまり、回転部材６側の流路１２Ｕ０及び本体４ａ側の流路１２Ｕ３が繋がってＵ字形流路１２を形成し、回転部材６側の流路１４Ｊ０及び本体４ａ側の流路１４Ｊ３が繋がってＩ字形流路１４を形成することもできる。このとき、他の第２の接続口Ｕ１，２及びＪ１，２は、第１の接続口Ｕ０、Ｊ０と、つまり収容室２４と遮断されている。
この場合は、流路構造体４’が接続された他の冷蔵庫２’が、流路構造体４が接続された他１冷蔵庫２の左横側に配置されて接続される場合を示す。
【００５０】
上記の説明では、２つの冷蔵庫が接続された場合を示したが、それに限られるものではなく、例えば、流路構造体４の３箇所の接続口の全て、つまり図面で上側の接続口Ｕ１及びＪ１、右側の接続口Ｕ２及びＪ２、並びに左側の接続口Ｕ３及びＪ３の全てにおいて、他の流路構造体４’が取り付けられている場合もあり得る。つまり、１の冷蔵庫の図面で上側、右側及び左側にそれぞれ他の冷蔵庫２’が取り付けられた逆Ｔ字形の冷蔵庫ユニット５０もあり得る。
【００５１】
更に、流路構造体４の図面で下側に接続口が設けられ、４箇所の接続口を有する場合もあり得る。その場合には、１の冷蔵庫の図面で上側、右側、左側及び下側にそれぞれ他の冷蔵庫２’が取り付けられた十字形の冷蔵庫ユニット５０もあり得る。また、流路構造体４の図面斜め上方や斜め下方に接続口が設けられる場合もあり得る。
以上のように、１の冷蔵庫２に複数の他の冷蔵庫２’が接続されている場合、流路構造体４の回転部材６を回転させることにより、複数の他の冷蔵庫２’のうち、１の冷蔵庫と連通する他の冷蔵庫２’を選択することができる。
【００５２】
＜駆動モータを備えた流路構造体の説明＞
回転部材６を回転させるには、使用者が手動で行うこともできるし、図２の（ａ）に示すように駆動モータ４０を備える場合には、駆動モータ４０によって回転部材６を回転させることもできる。この場合には、使用者のスイッチ操作で回転させて、複数の他の冷蔵庫２’中から１の冷蔵庫を選択することができる。
【００５３】
更に、各々の他の冷蔵庫２’の収容室２４’内に温度センサーを備えて、温度センサーからの信号に基づく自動制御で回転部材６を回転させて、流体連結する他の冷蔵庫２’を選択することもできる。例えば、温度センサーの計測温度が最も高い収容室２４’を有する他の冷蔵庫２’を選択することが考えられるし、温度センサーでの計測温度が所定値を超えた収容室２４’を選択することも考えられる。
【００５４】
また、流路構造体４の回転部材６を、例えば４５度回転させることによって、１の冷蔵庫２の収容室２４を、全ての第２の接続口Ｕ１〜３、Ｊ１〜３に対して閉鎖状態にすることもできる。この場合には、気体は１の冷蔵庫２の収容室２４内だけを循環する。これにより、収容室２４内の温度を更に低温にすることもできるし、省エネ効果を高めることもできる。
【００５５】
上記の実施形態では、回転部材６にＵ字形及びＩ字形の流路が形成されているが、これに限られるものではなく、互いに干渉しない２つの流路が配置できれば、その他の任意の流路を採用することができる。例えば、互いに平行な２つのＩ字形の流路を配置することもできる。
【００５６】
（本発明のその他の実施形態に係る流路構造体の説明）
図１０は、Ｔ字流路を有する本発明のその他の実施形態に係る流路構造体の概要を示す（ａ）分解斜視図、（ｂ）第１のＴ字流路を示す平面図、及び（ｃ）第２のＴ字流路を示す平面図である。次に、図１０を参照しながら、本発明のその他の実施形態に係る流路構造体４の概要を説明する。
【００５７】
本実施形態では、流路構造体４の厚み方向に第１のＴ字形流路１６Ａ及び第２のＴ字形流路１６Ｂの２つの流路が設けられている。厚み方向に配置された２つのＴ字形流路１６Ａ、１６Ｂに対応して、厚み方向に、第１の本体４Ａ及び第１の回転部材８Ａ、並びに第２の本体４Ｂ及び第２の回転部材８Ｂを備える。第１の回転部材８Ａ及び第２の回転部材８Ｂは、概略円筒形の形状を有し、それぞれ第１及び第２の本体４Ａ、４Ｂ側に形成された穴部に回転自在に嵌合される。
【００５８】
第１のＴ字形流路１６Ａは、流路構造体４が取り付けられる１の冷蔵庫２の収容室２４と流体連結可能な第１の接続口ＴＡ０を中心側の一端とし、他の冷蔵庫２’の収容室２４’と連通可能な３つの第２の接続口ＴＡ１，ＴＡ２及びＴＡ３を他端とするＴ字形の流路である。同様に、第２のＴ字形流路１６Ｂは、１の冷蔵庫２の収容室２４と流体連結可能な第１の接続口ＴＢ０を中心側の一端とし、他の冷蔵庫２’の収容室２４’と連通可能な３つの第２の接続口ＴＢ１，ＴＢ２及びＴＢ３を他端とするＴ字形の流路である。
【００５９】
第１の回転部材８Ａには、第１の接続口ＴＡ０及び第１のＴ字形流路１６Ａの一部であるＴ字形の流路１６Ａ０が設けられている。一方、本体４Ａには、第２の接続口ＴＡ１及び第１のＴ字形流路１６Ａの一部である流路１６Ａ１，第２の接続口ＴＡ２及び第１のＴ字形流路１６Ａの一部である流路１６Ａ２，並びに第２の接続口ＴＡ３及び第１のＴ字形流路１６Ａの一部である流路１６Ａ３が設けられている。
【００６０】
本実施形態では、第１の回転部材８Ａ側のＴ字形の流路１６Ａ０及び本体４Ａ側の流路１６Ａ１，１６Ａ２及び１６Ａ３が繋がって第１のＴ字形流路１６Ａを形成している。
図１０では、１の冷蔵庫２の収容室２４から第１のＴ字形流路１６Ａへ気体が流入する場合を例にとって、気体の流れを点線の矢印で示す。つまり、第１のＴ字形流路１６Ａが出側の流路になっている場合を示す。収容室２４からの気体が、厚み方向で第２の回転部材８Ｂの中心部分を通過して、第１の回転部材８Ａの第１の接続口ＴＡ０から、３方向に延びたＴ字形の流路１６Ａ０の各流路へ流れる。そして、本体４Ａ側の流路１６Ａ１，１６Ａ２及び１６Ａ３の各々へ流入する。そして、第２の接続口ＴＡ１、ＴＡ２及びＴＡ３から他の冷蔵庫２’へ流れる。
ただし、第１のＴ字形流路１６Ａが出側の流路になっている場合に限られるものではなく、第１のＴ字形流路１６Ａが入側の流路になっている場合もあり得る。
【００６１】
第２の回転部材８Ｂには、第１の接続口ＴＢ０及び第２のＴ字形流路１６Ｂの一部であるＴ字形の流路１６Ｂ０が設けられている。第１の接続口ＴＢ０は、１の冷蔵庫２の収容室２４から第１の回転部材８Ａの第１の接続口ＴＡ０へ繋がる流路の流路壁の周囲に３か所に分かれて設けられており、Ｔ字形の流路１６Ｂ０の３方向に延びたそれぞれの流路の端部の接続口になっている。
本体４Ｂには、第２の接続口ＴＢ１及び第２のＴ字形流路１６Ｂの一部である流路１６Ｂ１，第２の接続口ＴＢ２及び第２のＴ字形流路１６Ｂの一部である流路１６Ｂ２，並びに第２の接続口ＴＢ３及び第２のＴ字形流路１６Ｂの一部である流路１６Ｂ３が設けられている。
【００６２】
本実施形態では、第２の回転部材８Ｂ側のＴ字形の流路１６Ｂ０及び本体４Ｂ側の流路１６Ｂ１，１６Ｂ２及び１６Ｂ３が繋がって第２のＴ字形流路１６Ｂを形成している。
図１０では、第２のＴ字形流路１６Ｂから１の冷蔵庫２の収容室２４へ気体が流入する場合を例にとって、気体の流れを実戦の矢印で示す。つまり、第２のＴ字形流路１６Ｂが入側の流路になっている場合を示す。他の冷蔵庫２’から、気体が第２の接続口ＴＢ１、ＴＢ２及びＴＢ３を端部とする本体４Ｂ側の流路１６Ｂ１，１６Ｂ２及び１６Ｂ３へ流れる。更に気体は、流路１６Ｂ１，１６Ｂ２及び１６Ｂ３からＴ字形の流路１６Ｂ０へ流れ、３か所に分かれた第１の接続口ＴＢ０から、それぞれ収容室２４へ流入する。
ただし、第２のＴ字形流路１６Ｂが入側の流路になっている場合に限られるものではなく、第２のＴ字形流路１６Ｂが出側の流路になっている場合もあり得る。  
【００６３】
以上のように、本実施形態に係る流路構造体４では、Ｔ字形の流路によって、最大３つの他の流路構造体４’と接続可能である。つまり、１の冷蔵庫２の収容室２４と、３つの他の冷蔵庫２’の収容室２４’と連通可能である。収容室２４や収容室２４’の内部での気体の流れは上述の場合と同様である。
本実施形態に係る流路構造体４では、流路が出側の流路と入側の流路とから構成されるので、１の冷蔵庫２と他の冷蔵庫２’との間で確実に気体を循環させることができる。更に、異なる回転部材８Ａ、８Ｂに流路が設けられるので、Ｔ字形のような複数の接続口を有する流路であっても、互いに干渉することなく、確実に流路を形成することができる。
【００６４】
＜流路構造体の配置例の説明＞
図１１は、本発明のその他の実施形態に係る流路構造体４が他の流路構造体４’と連結された場合の（ａ）１つの配置例を示す平面図、及び（ｂ）その他の配置例を示す平面図である。
次に、図１１を参照しながら、本発明のその他の実施形態に係る流路構造体４が他の流路構造体４’と連結された場合の配置例について説明する。
【００６５】
図１１（ａ）に示す配置例では、流路構造体４の図面で上側の接続口ＴＡ１，ＴＢ１で他の流路構造体４’と接続される場合を示す。つまり、第１、第２の回転部材８Ａ、８Ｂ側の流路１６Ａ０，１６Ｂ０及び本体４Ａ、４Ｂ側の流路１６Ａ１、１６Ｂ１が繋がって流路１６を形成している。本体４Ａ、４Ｂ側のその他の流路である流路１６Ａ２、１６Ｂ２及び流路１６Ａ３、１６Ｂ３については、その端部にシール材３６が備えられており、気体が外部に漏れるのを防いでいる。
図１１では、他の冷蔵庫２’にも、流路構造体４と同様なＴ字形の流路を有する流路構造体４’を備えている場合を示す。ただし、これに限られるものではなく、他の冷蔵庫２’において、収容室２４’と流体連結可能な流路及び接続口の位置が固定されている場合もあり得る。
【００６６】
図１１（ａ）に示す組み合わせ例では、他の流路構造体４’が接続された他の冷蔵庫２’が、流路構造体４が接続された１の冷蔵庫２の上に配置されて接続されている場合に対応する。
ただし、これに限られるものではなく、例えば、左右の接続口ＴＡ２，ＴＢ２及びＴＡ３，ＴＢ３において、シール材３６を取り除いて、それぞれ他の流路構造体４’を接続することもできる。この場合には、１の冷蔵庫２の収容室２４と、３つの他の冷蔵庫２’の収容室２４’とを連通させることができる。
【００６７】
図１１（ｂ）に示す配置例では、第１及び第２の回転部材８Ａ、８Ｂが、図１１（ａ）に示す状態から、時計方向に９０度回転した状態にある。流路構造体４の図面で上側の第２の接続口ＴＡ１，ＴＢ１で他の流路構造体４’と接続されるのに加えて、右側の第２の接続口ＴＡ２，ＴＢ２で他の流路構造体４’と接続された場合を示す。第１及び第２の回転部材８Ａ、８Ｂが９０度回転したので、左側の第２の接続口ＴＡ３，ＴＢ３は、中心の第１の接続口１６Ａ０、１６Ｂ０とは遮断された状態にあり、端部にシール材３６を備えなくても、気体が外部に漏れるのを防ぐことができる。
【００６８】
上側に延びる流路については、上記と同様に、第１、第２の回転部材８Ａ、８Ｂ側の流路１６Ａ０，１６Ｂ０及び本体４Ａ、４Ｂ側の流路１６Ａ１、１６Ｂ１が繋がって流路１６を形成している。右側に延びる流路については、第１、第２の回転部材８Ａ、８Ｂ側の流路１６Ａ０，１６Ｂ０及び本体４Ａ、４Ｂ側の流路１６Ａ２、１６Ｂ２が繋がって流路１６を形成している。
図１１に示す配置例では、他の流路構造体４’が取り付けられた他の冷蔵庫２’が、流路構造体４が接続された１の冷蔵庫２の上側及び右側に配置されて接続されている場合に対応する。
【００６９】
以上のように、本実施形態に係る流路構造体４では、厚み方向に並んだ２つのＴ字形流路１６Ａ，１６Ｂを有するので、１の冷蔵庫２の収容室２４と、複数の他の冷蔵庫２’の収容室２４’とを同時に連通させることができる。更に、回転部材８Ａ，８Ｂを回転させることによって、一部の接続口を閉鎖することも可能である。よって、回転部材８Ａ，８Ｂを回転させることによって、異なる位置に配置された複数の接続口から所望の位置の接続口を選択することもできる。
例えば、回転部材８Ａ，８Ｂを４５度回転させることによって、第１の接続口ＴＡ０，ＴＢ０を、つまり１の冷蔵庫２の収容室２４を、全ての第２の接続口ＴＡ１〜３、ＴＢ１〜３に対して閉鎖状態にすることもできる。この場合には、気体は１の冷蔵庫２の収容室２４内だけを循環する。これにより、収容室２４内の温度を更に低温することもできるし、省エネ効果を高めることもできる。
【００７０】
Ｔ字形の流路を有する本実施形態においても、駆動モータで回転部材８Ａ、８Ｂを回転させることができる。
上記の実施形態では、厚み方向に並んだ２つのＴ字形流路を形成しているが、これに限られるものではなく、互いに干渉しない２つの流路が配置できれば、その他の任意の流路を採用することができる。例えば、互いに平行な２つのＩ字形の流路を配置することもできる。
【００７１】
（本発明の更なる実施形態に係る流路構造体の説明）
図１２は、本発明の更なる実施形態に係る流路構造体４が他の流路構造体４’と連結された場合の（ａ）１つの配置例を示す平面図、及び（ｂ）その他の配置例を示す平面図である。次に、図１２を参照しながら、本発明の更なる実施形態に係る流路構造体４の概要を説明する。
【００７２】
上記の実施形態では、何れも、回転部材６、８が流路の一部を備えた場合を示すが、それに限られるものではなく、図１２に示すように、回転部材１０が流路の全てを備えた場合もあり得る。
本実施形態では、入側及び出側の流路となる２つの流路１８を有する回転部材１０が回転することにより、他の流路構造体４’と接続する２つの接続口１８Ａの位置を変更することができる。本実施形態では、流路１８は回転部材１０にのみ設けられている。流路１８は、互いに平行な２つの流路から構成される。各流路は、回転中心側に、１の冷蔵庫２の収容室２４と流体連結可能な第１の接続口１８Ａを備え、外周側に、他の冷蔵庫２’の収容室２４’と流体連結可能な第２の接続口１８Ｂを備える。
【００７３】
図１２では、１の冷蔵庫２の上側及び左側に他の冷蔵庫２’が取り付けられている。そして、（ａ）では、第２の接続口１８Ｂが図面で上側に位置しており、１の冷蔵庫２の収容室２４と上側の他の冷蔵庫２’の収容室２４’とが連通している。また、（ｂ）では、回転部材１０が、（ａ）の状態から、反時計回りに９０度回転した状態を示す。第２の接続口１８Ｂが図面で左側に位置しており、１の冷蔵庫の収容室２４と左側の他の冷蔵庫２’の収容室２４’とが連通している。第２の接続口１８Ｂには、他の流路構造体４’との接続部でのシール性を向上するシール部材が備えられるのが好ましい。本実施形態においても、駆動モータで回転部材１０を回転させることができる。
【００７４】
以上のように、本発明によれば、１の冷蔵庫２に取り付けられた流路構造体４の流路の端部に、他の冷蔵庫２’の収容室２４’と流体連結可能な第２の接続口（例えば、Ｕ１〜Ｕ３、Ｊ１〜Ｊ３、ＴＡ１〜ＴＡ３、ＴＢ１〜ＴＢ３，１８Ｂ）を有するので、他の冷蔵庫２’を着脱するだけで、１の冷蔵庫２及び他の冷蔵庫２’の収容室２４’の流体連結及び分離を容易に実施できる。更に、流路の少なくとも一部を備えた部材６、８、１０を回転させるだけで、他の冷蔵庫２’の収容室２４’と流体連結する第２の接続口の位置を容易に変更することができる。
これにより、取り付けられた１の冷蔵庫２の収容室２４と他の冷蔵庫２’の収容室２４’との流体連結及び分離を容易に実施でき、かつ他の冷蔵庫２’の収容室２４’と流体連結する位置を容易に変更できる。
【００７５】
流路構造体４が取り付けられた１の冷蔵庫２、並びに１の冷蔵庫２及び他の冷蔵庫２’を備えた冷蔵庫ユニット５０では、１の冷蔵庫２の収容室２４と他の冷蔵庫２’の収容室２４’との連結及び分離を容易に実施でき、かつ１の冷蔵庫２に対する他の冷蔵庫２’の取り付け位置を容易に変更可能である。
【００７６】
本発明の実施の形態、実施の態様を説明したが、開示内容は構成の細部において変化してもよく、実施の形態、実施の態様における要素の組合せや順序の変化等は請求された本発明の範囲および思想を逸脱することなく実現し得るものである。
【符号の説明】
【００７７】
２，２’        冷蔵庫
４，４’        流路構造体
４ａ，４ａ’    本体
４Ａ            第１の本体
４Ｂ            第２の本体
６，６’        回転部材
８Ａ            第１の回転部材
８Ｂ            第２の回転部材
１０            回転部材
１２，１２’    Ｕ字形流路
１２Ｕ０〜Ｕ３  各接続口に対応した流路
１４，１４’    Ｉ字形流路
１４Ｊ０〜Ｊ３  各接続口に対応した流路
１６            Ｔ字流路
１６Ａ          第１のＴ字流路
１６Ａ０〜Ａ３  各接続口に対応した流路  
１６Ｂ          第２のＴ字流路
１６Ｂ０〜Ｂ３  各接続口に対応した流路  
１８            流路
１８Ａ          第１の接続口
１８Ｂ          第２の接続口
２０，２０’    筐体
２２，２２’    扉
２４，２４’    収容室
２６            開口
２８            吸込口
３０，３０’    ファン
３２            冷却フィン
３４            仕切板
３６            シール材
４０            駆動モータ
５０            冷蔵庫ユニット
Ｕ０            Ｕ字第１の接続口
Ｕ１            Ｕ字第２の接続口１
Ｕ２            Ｕ字第２の接続口２
Ｕ３            Ｕ字第２の接続口３
Ｊ０            Ｉ字第１の接続口
Ｊ１            Ｉ字第２の接続口１
Ｊ２            Ｉ字第２の接続口２
Ｊ３            Ｉ字第２の接続口３
ＴＡ０          第１の接続口
ＴＡ１          第２の接続口１
ＴＡ２          第２の接続口２
ＴＡ３          第２の接続口３
ＴＢ０          第１の接続口
ＴＢ１          第２の接続口１
ＴＢ２          第２の接続口２
ＴＢ３          第２の接続口３
【図１】
2017067379.tif 000003
【図２】
2017067379.tif 000004
【図３】
2017067379.tif 000005
【図４】
2017067379.tif 000006
【図５】
2017067379.tif 000007
【図６】
2017067379.tif 000008
【図７】
2017067379.tif 000009
【図８】
2017067379.tif 000010
【図９】
2017067379.tif 000011
【図１０】
2017067379.tif 000012
【図１１】
2017067379.tif 000013
【図１２】
2017067379.tif 000014